【手続補正書】
【提出日】平成16年2月10日(2004.2.10)
【手続補正１】
【補正対象書類名】特許請求の範囲
【補正対象項目名】全文
【補正方法】変更
【補正の内容】
【特許請求の範囲】
【請求項１】
カートリッジ内に収納され画像形成に使用される消耗品の推定使用量を測定するための測定手段と、
前記推定使用量が所定量に達したときに、前記カートリッジが前記使用済みカートリッジであると判定するための判定手段と、
前記判定手段で判定された前記使用済みカートリッジに対しては、画像形成に使用されるのを禁止する再使用禁止手段と、
前記判定手段で判定された前記使用済みカートリッジに対しては、画像形成に使用できないことを表示するための警告手段とからなることを特徴とする使用済みカートリッジの再使用禁止装置。
【請求項２】
前記カートリッジは、前記消耗品を収納する消耗品収納室と、現像ローラと、メモリとを持っており、前記測定手段は、前記現像ローラの回転を検出する検出手段と、この検出手段からの信号から求めた前記現像ローラの回転数の累積値を前記推定使用量として前記メモリに書き込む書き込み手段とを持っていることを特徴とする請求項１記載の使用済みカートリッジの再使用禁止装置。
【請求項３】
前記カートリッジは、前記消耗品を収納する消耗品収納室と、現像ローラと、メモリと、感光ドラムと、帯電ローラとを持っており、前記測定手段は、前記現像ローラ、帯電ローラ、及び感光ドラムのうちの１つの回転を検出する検出手段と、この検出手段からの信号から求めた、回転数の累積値を前記推定使用量として前記メモリに書き込む書き込み手段とを持っていることを特徴とする請求項１記載の使用済みカートリッジの再使用禁止装置。
【請求項４】
前記測定手段、前記判定手段、前記再使用禁止手段、及び前記警告手段は、前記カートリッジに設けられていることを特徴とする請求項１〜３いずれか記載の使用済みカートリッジの再使用禁止装置。
【請求項５】
画像形成に使用される消耗品を収納するカートリッジと、このカートリッジが着脱自在にセットされる画像形成装置とを含む画像形成システムにおいて、
カートリッジの作動に基づいて、前記消耗品の推定使用量を測定するための測定手段と、
前記推定使用量が所定量に達したときに、前記カートリッジが前記使用済みカートリッジであると判定するための判定手段と、
前記判定手段で判定された前記使用済みカートリッジに対しては、画像形成に使用されるのを禁止する再使用禁止手段と、
前記判定手段で判定された前記使用済みカートリッジに対しては、画像形成に使用できないことを表示するための警告手段とを備えていることを特徴とする画像形成システム。
【請求項６】
前記測定手段、前記判定手段、前記再使用禁止手段、及び前記警告手段は、前記カートリッジに設けられており、前記カートリッジは、更に、前記消耗品を収納する消耗品収納室と、現像ローラと、メモリと、感光ドラムと、帯電ローラとを持っており、前記測定手段は、前記現像ローラと、帯電ローラと、感光ドラムのうちの１つの回転を検出する検出手段と、この検出手段からの信号から求めた回転数の累積値を前記推定使用量として前記メモリに書き込む書き込み手段とを持っていることを特徴とする請求項５記載の画像形成システム。
【請求項７】
カートリッジ内に収納され画像形成に使用される消耗品の残量を直接に調べるための測定手段と、
前記測定手段で調べた前記消耗品の残量が所定量以下となったときに、前記カートリッジが前記使用済みカートリッジであると判定するための判定手段と、
前記判定手段で判定された前記使用済みカートリッジに対しては、画像形成に使用されるのを禁止する再使用禁止手段と、
前記判定手段で判定された前記使用済みカートリッジに対して、画像形成に使用できないことを表示するための警告手段とを備えていることを特徴とする使用済みカートリッジの再使用禁止装置。
【請求項８】
前記カートリッジは、前記消耗品を収納する消耗品収納室と、現像ローラとを持っており、前記測定手段は、前記消耗品収納室に設けられ、前記消耗品の残量を光学的に測定するフォトセンサーを含むことを特徴とする請求項７記載の使用済みカートリッジの再使用禁止装置。
【請求項９】
前記カートリッジは、更に、感光ドラム及び帯電ローラを持っていることを特徴とする請求項８記載の使用済みカートリッジの再使用禁止装置。
【請求項１０】
前記測定手段、前記判定手段、前記再使用禁止手段、及び前記警告手段は、前記カートリッジに設けられていることを特徴とする請求項７〜９いずれか記載の使用済みカートリッジの再使用禁止装置。
【請求項１１】
画像形成に使用される消耗品を収納するカートリッジと、このカートリッジが着脱自在にセットされる画像形成装置とを含む画像形成システムにおいて、
前記カートリッジ内の消耗品の残量を直接に調べるための測定手段と、
前記測定手段で調べた前記消耗品の残量が、所定量以下となったときに、前記カートリッジが前記使用済みカートリッジであると判定するための判定手段と、
前記判定手段で判定された前記使用済みカートリッジに対しては、画像形成に使用されるのを禁止する再使用禁止手段と、
前記判定手段で判定された前記使用済みカートリッジに対して、画像形成に使用できないことを表示するための警告手段とを備えた画像形成システム。
【請求項１２】
前記測定手段、前記判定手段、前記再使用禁止手段、及び前記警告手段は、前記カートリッジに設けられていることを特徴とする請求項１１記載の画像形成システム。
【請求項１３】
前記カートリッジは、更に、前記消耗品を収納する消耗品収納室と、現像ローラとを持っており、前記測定手段は、前記消耗品収納室に設けられ、前記消耗品の残量を光学的に測定するフォトセンサーを含むことを特徴とする請求項１２記載の画像形成システム。
【請求項１４】
前記カートリッジは、更に、感光ドラム及び帯電ローラを持っていることを特徴とする請求項１３記載の画像形成システム。
【請求項１５】
カートリッジ内に収納され画像形成に使用される消耗品の推定残量を測定するための測定手段と、
前記推定残量が所定量以下となったときに、前記カートリッジが前記使用済みカートリッジであると判定するための判定手段と、
前記判定手段で判定された前記使用済みカートリッジに対しては、画像形成に使用されるのを禁止する再使用禁止手段と、
前記判定手段で判定された前記使用済みカートリッジに対しては、画像形成に使用できないことを表示するための警告手段とからなることを特徴とする使用済みカートリッジの再使用禁止装置。
【請求項１６】
画像形成に使用される消耗品を収納するカートリッジと、このカートリッジが着脱自在にセットされる画像形成装置とを含む画像形成システムにおいて、
カートリッジの作動に基づいて、前記消耗品の推定残量を測定するための測定手段と、
前記推定残量が所定量以下となったときに、前記カートリッジが前記使用済みカートリッジであると判定するための判定手段と、
前記判定手段で判定された前記使用済みカートリッジに対しては、画像形成に使用されるのを禁止する再使用禁止手段と、
前記判定手段で判定された前記使用済みカートリッジに対しては、画像形成に使用できないことを表示するための警告手段とを備えていることを特徴とする画像形成システム。
【手続補正２】
【補正対象書類名】明細書
【補正対象項目名】発明の名称
【補正方法】変更
【補正の内容】
【発明の名称】使用済みカートリッジの再使用禁止装置及び画像形成システム